(57)【要約】      （修正有）【課題】ペットの装着感及び生活の質の改善を図ったペット介護用カラーを提供する。【解決手段】中央にペットの首周りに見合った大きさの円形孔３を形成したドーナッツ状円板の輪の一部を切欠いた馬蹄形円板２に形成し切欠き部の両端部を結着してペットの首周りに取付けるペット用介護カラーを構成する。また、前記馬蹄形円板をその外周円に沿った外周円部８と円形孔３に沿った内周円部９と両者の中間部に区画し、外周円部８と内周円部９を柔軟・ソフト素材で形成すると共に中間部を透明なプラスチックのシートの透明窓１１として備えて透明窓付ペット用介護カラーとする。【選択図】図２
0003160875.tif 000002
【実用新案登録請求の範囲】
【請求項１】
中央にペットの首周りに見合った大きさの円形孔を形成したドーナッツ状円板の輪の一部を切欠いた馬蹄形円板に形成し、前記切欠き部を通して円形孔内にペットの首を嵌め、切欠き部の両端部を着脱自在に結着し漏斗形に形成してペットの首周りに取付けるように備えたものである、ペット用介護カラーにおいて、
前記馬蹄形円板をその外周円に沿った外周円部と円形孔に沿った内周円部と両者の中間部に区画し、外周円部と内周円部を柔軟・ソフト素材で形成すると共に、中間部を透明なプラスチックのシートで形成して、該中間部を透視・透光可能な透明窓として備えたことを特徴とする、
透明窓付ペット用介護カラー。
【請求項２】
前記切欠き部の両端部の結着位置をペットの首周りの大小に合わせて調節できるように備え、スナップボタン、布テープファスナー、紐、その他任意の結着手段で着脱自在に結着するように備えたことを特徴とする、
請求項１の透明窓付ペット用介護カラー。
【請求項３】
前記中間部の透視・透光可能な透明窓はアクリル樹脂シートその他の有色・無色透明で曲成自在なプラスチック製であることを特徴とする、
請求項１の透明窓付ペット用介護カラー。
【請求項４】
前記外周円部及び内周円部の柔軟・ソフト素材は、織布、不織布、綿、プラスチックシートの外周面を織布・不織布等で被覆したもの、プラスチックフォーム、前記の素材を組合せた物など、ペットに対する肌さわりが優しい柔軟・ソフト性、軽量、衝撃吸収性、防水性等を備えた素材であれば任意である、
請求項１の透明窓付ペット用介護カラー。
【考案の詳細な説明】
【技術分野】
【０００１】本考案は、ペット（主として犬、猫）の皮膚病等の病気の治療中、ケガの治療中、ノミ等による痒みなどにおいて、ペットが患部・局部を自分で舐め、噛み、引っ掻くなどするのを予防するために、ペットの首周りに装着して用いる、ペット介護用カラーに係り、【０００２】外周円部と内周円部をペットに対する肌さわりが優しい柔軟で軽くソフトな素材で形成することによって、従来と異なり、装着時に軽く柔軟でペットの身体に優しくフィットして負担とならずストレスがあまりなく、壁や家具等にぶつかってもペットに対する衝撃が少なく、音がしないため五月蝿くないように備えると共に、中間部を透明なプラスチックのシートで形成することによって、該中間部を透視・透光可能な透明窓として備えて、光が周囲から入って明るく飼主・ペットから顔が見えて閉塞感や圧迫感が少なくストレスにならないようにしたことを特徴とする、透明窓付ペット用介護カラーを考案・提供するものである。
【背景技術】
【０００３】従来、ペット（主として犬、猫）の皮膚病等の病気の治療中、ケガの治療中、ノミ等による痒みなどにおいて、ペットが患部・局部を自分で舐め、噛み、引っ掻くなどするのを予防するために、ペットの首周りに装着して用いる、ペット介護用カラー（通称・エリザベスカラー）が、飼主等によって広く用いられている。【０００４】ところが、従来のペット介護用カラーは、全体がアクリル樹脂等のプラスチックシート製であるため、周囲から光がよく入って明るく、飼主・ペットの顔がよく見えるメリットがある反面、
１．全体がプラスチックシート製で硬いため、ペットが動き回って家具や柱等に衝突・接触すると、音がうるさく、家具や柱等にキズがつき、また、ペットの体に与える衝撃が大きい、
２．プラスチック製で冷たく硬いため、邪魔になって寝にくく、よく眠れなくなり、ペットの首周りに直接当たるため首周りの毛が抜ける、
３．プラスチック製で硬いので、食事、水飲みがしにくい、
４．プラスチック製のため、吸湿性・通気性に欠ける、
５．上記の結果、長く着けているとペットに大きなストレスが溜まり、精神不安定、不眠症、食欲不振になるなどペットの健康状態に著しい悪影響を与えるものであった。
【先行技術文献】
【特許文献】
【０００５】
【特許文献１】実用新案登録第３１２６９７６号公報
【特許文献２】特開２００７−０８９５５２号公報
【考案の概要】
【考案が解決しようとする課題】
【０００６】前記従来のペット介護用カラーが全体をプラスチック製としたために存在した、前記［０００４］項の１．乃至５．に記載した課題を、本考案ペット介護用カラーは、その外周円部と内周円部を柔軟・ソフト素材で形成することによって効果的に解決すると共に、従来のペット介護用カラーのメリットであるプラスチックシート製で周囲から光がよく入って明るく飼主・ペットの顔がよく見える点が、本考案では柔軟・ソフト素材によって損なわれる点を、中間部を透視・透光可能なプラスチックシートの透明窓として備えることによって解決したものである。
【課題を解決するための手段】
【０００７】請求項１の考案は、中央にペットの首周りに見合った大きさの円形孔を形成したドーナッツ状円板の輪の一部を切欠いた馬蹄形円板に形成し、前記切欠き部を通して円形孔内にペットの首を嵌め、切欠き部の両端部を着脱自在に結着し漏斗形に形成してペットの首周りに取付けるように備えたものである、ペット用介護カラーにおいて、【０００８】前記馬蹄形円板をその外周円に沿った外周円部と円形孔に沿った内周円部と両者の中間部に区画し、外周円部と内周円部を柔軟・ソフト素材で形成すると共に、中間部を透明なプラスチックのシートで形成して、該中間部を透視・透光可能な透明窓として備えたことを特徴とする、透明窓付ペット用介護カラーによって課題を解決したものである。【０００９】請求項２の考案は、前記切欠き部の両端部の結着位置をペットの首周りの大小に合わせて調節できるように備え、スナップボタン、布テープファスナー、紐、その他任意の結着手段で着脱自在に結着するように備えたことを特徴とする、請求項１に記載の透明窓付ペット用介護カラーによって課題を解決したものである。【００１０】請求項３の考案は、前記中間部の透視・透光可能な透明窓はアクリル樹脂シートその他の有色・無色透明で曲成自在なプラスチック製であることを特徴とする、請求項１に記載の透明窓付ペット用介護カラーによって課題を解決したものである。【００１１】請求項４の考案は、前記外周円部及び内周円部の柔軟・ソフト素材は、織布、不織布、綿、プラスチックシートの外周面を織布・不織布等で被覆したもの、プラスチックフォーム、前記の素材を組合せた物など、ペットに対する肌さわりが優しい柔軟・ソフト性、軽量、衝撃吸収性、防水性等を備えた素材であれば任意である、請求項１に記載の透明窓付ペット用介護カラーによって課題を解決したものである。
【考案の効果】
【００１２】本考案は、外周円部と内周円部を柔軟・ソフト素材で形成すると共に、中間部を透明なプラスチックのシートで形成して、該中間部を透視・透光可能な透明窓として備えたものであるため、
１．中間部の透視・透光可能なプラスチックシートの透明窓から周囲の光がよく入って明るく、飼主・ペットの顔がよく見え、よって、常に、飼主はペットの様子を観察でき、ペットは飼主を見て安心できる効果があり、
２．外周円部と内周円部を柔軟・ソフト素材で形成したため、ペットが動き回って家具や柱等に衝突・接触しても、大きな音が出ないので五月蝿くなく、家具や柱等にキズをつけることが無く、また、ペットの体に衝撃を与えることがない効果があり、
３．外周円部と内周円部を柔軟・ソフト素材で形成したため柔軟に撓み、邪魔になって寝にくいことなく、よく眠れ、ペットの首周りに直接当たる内周円部を柔軟・ソフト素材で形成したため首周りの毛が抜けるようなことが全くない効果があり、
４．外周円部と内周円部を柔軟・ソフト素材で形成したため柔軟に撓んで、ペットは楽に食事、水飲みできる効果があり、
５．外周円部と内周円部を柔軟・ソフト素材で形成したため、必要に応じ、外周円部と内周円部の素材を自由に選択して吸湿性、通気性、防水性等を付与することができる効果があり、
６．上記の諸効果の結果、ペットにストレスを与えることなしに安心して使用し得る優れた特徴がある。
【図面の簡単な説明】
【００１３】
【図１】図１は本考案透明窓付ペット介護用カラーの展開状態（装着前）の正面図である。（実施例１）
【図２】図２は斜視図である。（実施例１）
【図３】図３は図２の正面図である。（実施例１）
【図４】図４は図２の平面図である。（実施例１）
【図５】図５は図２の底面図である。（実施例１）
【図６】図６は図２の右側面図である。（実施例１）
【図７】図７はペットに装着した図である。（実施例１）
【考案を実施するための形態】
【００１４】ペットにストレスを与えない介護カラーを提供する目的を、介護カラーの馬蹄形円板２をその外周円に沿った外周円部８と円形孔に沿った内周円部９と両者の中間部１０に区画し、外周円部８と内周円部９を柔軟・ソフト素材で形成すると共に、中間部１０を透明なプラスチックのシートで形成して、該中間部１０を透視・透光可能な透明窓１１として備えることによって実現した。
【実施例１】
【００１５】以下、図面により、本考案の実施例１につき説明する。
図１〜図７は、本考案透明窓付ペット介護用カラーの実施例１の図である。
符号、Ａは実施例１の透明窓付ペット介護用カラー、１はペット、２は馬蹄形円板、３は円形孔、４は切欠き部、５は端部、６は端部、７は結着手段（スナップボタン）、８は外周円部、９は内周円部、１０は中間部、１１は透明窓である。【００１６】本考案は、中央にペット１の首周りに見合った大きさの円形孔３を形成したドーナッツ状円板の輪の一部を切欠いた馬蹄形円板２に形成し、前記切欠き部４を通して円形孔３内にペット１の首を嵌め、切欠き部４の両端部５、６を着脱自在に結着し漏斗形に形成してペット１の首周りに取付けるように備えたものである、ペット用介護カラーにおいて、【００１７】前記馬蹄形円板２をその外周円に沿った外周円部８と円形孔３に沿った内周円部９と両者の中間部１０に区画し、外周円部８と内周円部９を柔軟・ソフト素材で形成すると共に、中間部１０を透明なプラスチックのシートで形成して、該中間部１０を透視・透光可能な透明窓１１として備えたことを特徴とする、透明窓付ペット用介護カラーＡによって課題を解決したものである。【００１８】前記透明窓付ペット用介護カラーＡにおいて、前記切欠き部４の両端部５、６の結着位置をペット１の首周りの大小に合わせて調節できるように備え、スナップボタン、布テープファスナー、紐、その他任意の結着手段（実施例１ではスナップボタン）７で着脱自在に結着するように備えたものである。【００１９】前記中間部１０の透視・透光可能な透明窓１１は、アクリル樹脂シートその他の有色・無色透明で曲成自在なプラスチックで設けたものである。【００２０】また、前記外周円部８及び内周円部９の柔軟・ソフト素材は、織布、不織布、綿、プラスチックシートの外周面を織布・不織布等で被覆したもの、プラスチックフォーム、前記の素材を組合せた物など、ペットに対する肌さわりが優しい柔軟・ソフト性、軽量、衝撃吸収性、防水性等を備えた素材であれば任意である。
【産業上の利用可能性】
【００２１】本考案は、最も一般的なペットである犬、猫に限らず、ペットの大小にかかわらず、ペットの皮膚病等の病気の治療中、ケガの治療中、ノミ等による痒みなどにおいて、ペットが患部・局部を自分で舐め、噛み、引っ掻くなどするのを予防するために、ペットの首周りに装着して用いる、透明窓付ペット介護用カラーとして汎用し得るものである。
【符号の説明】
【００２２】Ａ  実施例１の透明窓付ペット介護用カラー
１  ペット
２  馬蹄形円板
３  円形孔
４  切欠き部
５  端部
６  端部
７  結着手段（スナップボタン）
８  外周円部
９  内周円部
１０  中間部
１１  透明窓
【図１】
0003160875.tif 000003
【図２】
0003160875.tif 000004
【図３】
0003160875.tif 000005
【図４】
0003160875.tif 000006
【図５】
0003160875.tif 000007
【図６】
0003160875.tif 000008
【図７】
0003160875.tif 000009
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
中央にペットの首周りに見合った大きさの円形孔を形成したドーナッツ状円板の輪の一部を切欠いて切欠き部とした馬蹄形円板を形成し、前記切欠き部を通して円形孔内にペットの首を嵌め、切欠き部の両端部を着脱自在に結着し漏斗形に形成してペットの首周りに取付けるように備えたものである、ペット用介護カラーにおいて、
前記馬蹄形円板をその外周円に沿った外周円部と円形孔に沿った内周円部と両者の中間部に区画し、外周円部と内周円部を柔軟・ソフト素材で形成すると共に、中間部を透明なプラスチックのシートで形成して、該中間部を透視・透光可能な透明窓として備えたことを特徴とする、
透明窓付ペット用介護カラー。
【請求項２】
前記切欠き部の両端部の結着位置をペットの首周りの大小に合わせて調節できるように備え、スナップボタン、布テープファスナー、若しくは、紐で着脱自在に結着するように備えたことを特徴とする、
請求項１の透明窓付ペット用介護カラー。
【請求項３】
前記中間部の透視・透光可能な透明窓はアクリル樹脂シートその他の有色・無色透明で曲成自在なプラスチック製であることを特徴とする、
請求項１の透明窓付ペット用介護カラー。
【請求項４】
前記外周円部及び内周円部の柔軟・ソフト素材は、織布、不織布、綿、プラスチックシートの外周面を織布・不織布で被覆したもの、プラスチックフォーム、前記の素材を組合せた物など、ペットに対する肌さわりが優しい柔軟・ソフト性、軽量、衝撃吸収性、防水性を備えたものである、
請求項１の透明窓付ペット用介護カラー。
【手続補正２】
【補正対象書類名】明細書
【補正対象項目名】全文
【補正方法】変更
【補正の内容】
【考案の詳細な説明】
【技術分野】
【０００１】本考案は、ペット（主として犬、猫）の皮膚病等の病気の治療中、ケガの治療中、ノミ等による痒みなどにおいて、ペットが患部・局部を自分で舐め、噛み、引っ掻くなどするのを予防するために、ペットの首周りに装着して用いる、ペット介護用カラーに係り、【０００２】外周円部と内周円部をペットに対する肌さわりが優しい柔軟で軽くソフトな素材で形成することによって、従来と異なり、装着時に軽く柔軟でペットの身体に優しくフィットして負担とならずストレスがあまりなく、壁や家具等にぶつかってもペットに対する衝撃が少なく、音がしないため五月蝿くないように備えると共に、中間部を透明なプラスチックのシートで形成することによって、該中間部を透視・透光可能な透明窓として備えて、光が周囲から入って明るく飼主・ペットから顔が見えて閉塞感や圧迫感が少なくストレスにならないようにしたことを特徴とする、透明窓付ペット用介護カラーを考案・提供するものである。
【背景技術】
【０００３】従来、ペット（主として犬、猫）の皮膚病等の病気の治療中、ケガの治療中、ノミ等による痒みなどにおいて、ペットが患部・局部を自分で舐め、噛み、引っ掻くなどするのを予防するために、ペットの首周りに装着して用いる、ペット介護用カラー（通称・エリザベスカラー）が、飼主等によって広く用いられている。【０００４】ところが、従来のペット介護用カラーは、全体がアクリル樹脂等のプラスチックシート製であるため、周囲から光がよく入って明るく、飼主・ペットの顔がよく見えるメリットがある反面、
１．全体がプラスチックシート製で硬いため、ペットが動き回って家具や柱等に衝突・接触すると、音がうるさく、家具や柱等にキズがつき、また、ペットの体に与える衝撃が大きい、
２．プラスチック製で冷たく硬いため、邪魔になって寝にくく、よく眠れなくなり、ペットの首周りに直接当たるため首周りの毛が抜ける、
３．プラスチック製で硬いので、食事、水飲みがしにくい、
４．プラスチック製のため、吸湿性・通気性に欠ける、
５．上記の結果、長く着けているとペットに大きなストレスが溜まり、精神不安定、不眠症、食欲不振になるなどペットの健康状態に著しい悪影響を与えるものであった。
【先行技術文献】
【特許文献】
【０００５】
【特許文献１】実用新案登録第３１２６９７６号公報
【特許文献２】特開２００７−０８９５５２号公報
【考案の概要】
【考案が解決しようとする課題】
【０００６】前記従来のペット介護用カラーが全体をプラスチック製としたために存在した、前記［０００４］項の１．乃至５．に記載した課題を、本考案ペット介護用カラーは、その外周円部と内周円部を柔軟・ソフト素材で形成することによって効果的に解決すると共に、従来のペット介護用カラーのメリットであるプラスチックシート製で周囲から光がよく入って明るく飼主・ペットの顔がよく見える点が、本考案では柔軟・ソフト素材によって損なわれる点を、中間部を透視・透光可能なプラスチックシートの透明窓として備えることによって解決したものである。
【課題を解決するための手段】
【０００７】請求項１の考案は、中央にペットの首周りに見合った大きさの円形孔を形成したドーナッツ状円板の輪の一部を切欠いて切欠き部とした馬蹄形円板を形成し、前記切欠き部を通して円形孔内にペットの首を嵌め、切欠き部の両端部を着脱自在に結着し漏斗形に形成してペットの首周りに取付けるように備えたものである、ペット用介護カラーにおいて、【０００８】前記馬蹄形円板をその外周円に沿った外周円部と円形孔に沿った内周円部と両者の中間部に区画し、外周円部と内周円部を柔軟・ソフト素材で形成すると共に、中間部を透明なプラスチックのシートで形成して、該中間部を透視・透光可能な透明窓として備えたことを特徴とする、透明窓付ペット用介護カラーによって課題を解決したものである。【０００９】請求項２の考案は、前記切欠き部の両端部の結着位置をペットの首周りの大小に合わせて調節できるように備え、スナップボタン、布テープファスナー、若しくは、紐で着脱自在に結着するように備えたことを特徴とする、請求項１に記載の透明窓付ペット用介護カラーによって課題を解決したものである。【００１０】請求項３の考案は、前記中間部の透視・透光可能な透明窓はアクリル樹脂シートその他の有色・無色透明で曲成自在なプラスチック製であることを特徴とする、請求項１に記載の透明窓付ペット用介護カラーによって課題を解決したものである。【００１１】請求項４の考案は、前記外周円部及び内周円部の柔軟・ソフト素材は、織布、不織布、綿、プラスチックシートの外周面を織布・不織布で被覆したもの、プラスチックフォーム、前記の素材を組合せた物など、ペットに対する肌さわりが優しい柔軟・ソフト性、軽量、衝撃吸収性、防水性を備えたものである、請求項１に記載の透明窓付ペット用介護カラーによって課題を解決したものである。
【考案の効果】
【００１２】本考案は、外周円部と内周円部を柔軟・ソフト素材で形成すると共に、中間部を透明なプラスチックのシートで形成して、該中間部を透視・透光可能な透明窓として備えたものであるため、
１．中間部の透視・透光可能なプラスチックシートの透明窓から周囲の光がよく入って明るく、飼主・ペットの顔がよく見え、よって、常に、飼主はペットの様子を観察でき、ペットは飼主を見て安心できる効果があり、
２．外周円部と内周円部を柔軟・ソフト素材で形成したため、ペットが動き回って家具や柱等に衝突・接触しても、大きな音が出ないので五月蝿くなく、家具や柱等にキズをつけることが無く、また、ペットの体に衝撃を与えることがない効果があり、
３．外周円部と内周円部を柔軟・ソフト素材で形成したため柔軟に撓み、邪魔になって寝にくいことなく、よく眠れ、ペットの首周りに直接当たる内周円部を柔軟・ソフト素材で形成したため首周りの毛が抜けるようなことが全くない効果があり、
４．外周円部と内周円部を柔軟・ソフト素材で形成したため柔軟に撓んで、ペットは楽に食事、水飲みできる効果があり、
５．外周円部と内周円部を柔軟・ソフト素材で形成したため、必要に応じ、外周円部と内周円部の素材を自由に選択して吸湿性、通気性、防水性等を付与することができる効果があり、
６．上記の諸効果の結果、ペットにストレスを与えることなしに安心して使用し得る優れた特徴がある。
【図面の簡単な説明】
【００１３】
【図１】図１は本考案透明窓付ペット介護用カラーの展開状態（装着前）の正面図である。（実施例１）
【図２】図２は斜視図である。（実施例１）
【図３】図３は図２の正面図である。（実施例１）
【図４】図４は図２の平面図である。（実施例１）
【図５】図５は図２の底面図である。（実施例１）
【図６】図６は図２の右側面図である。（実施例１）
【図７】図７はペットに装着した図である。（実施例１）
【考案を実施するための形態】
【００１４】ペットにストレスを与えない介護カラーを提供する目的を、介護カラーの馬蹄形円板２をその外周円に沿った外周円部８と円形孔に沿った内周円部９と両者の中間部１０に区画し、外周円部８と内周円部９を柔軟・ソフト素材で形成すると共に、中間部１０を透明なプラスチックのシートで形成して、該中間部１０を透視・透光可能な透明窓１１として備えることによって実現した。
【実施例１】
【００１５】以下、図面により、本考案の実施例１につき説明する。
図１〜図７は、本考案透明窓付ペット介護用カラーの実施例１の図である。
符号、Ａは実施例１の透明窓付ペット介護用カラー、１はペット、２は馬蹄形円板、３は円形孔、４は切欠き部、５は端部、６は端部、７は結着手段（スナップボタン）、８は外周円部、９は内周円部、１０は中間部、１１は透明窓である。【００１６】本考案は、中央にペット１の首周りに見合った大きさの円形孔３を形成したドーナッツ状円板の輪の一部を切欠いて切欠き部４とした馬蹄形円板２を形成し、前記切欠き部４を通して円形孔３内にペット１の首を嵌め、切欠き部４の両端部５、６を着脱自在に結着し漏斗形に形成してペット１の首周りに取付けるように備えたものである、ペット用介護カラーにおいて、【００１７】前記馬蹄形円板２をその外周円に沿った外周円部８と円形孔３に沿った内周円部９と両者の中間部１０に区画し、外周円部８と内周円部９を柔軟・ソフト素材で形成すると共に、中間部１０を透明なプラスチックのシートで形成して、該中間部１０を透視・透光可能な透明窓１１として備えたことを特徴とする、透明窓付ペット用介護カラーＡによって課題を解決したものである。【００１８】前記透明窓付ペット用介護カラーＡにおいて、前記切欠き部４の両端部５、６の結着位置をペット１の首周りの大小に合わせて調節できるように備え、結着手段７、例えば、スナップボタン（実施例１）、布テープファスナー、若しくは、紐で着脱自在に結着するように備えたものである。【００１９】前記中間部１０の透視・透光可能な透明窓１１は、アクリル樹脂シートその他の有色・無色透明で曲成自在なプラスチックで設けたものである。【００２０】また、前記外周円部８及び内周円部９の柔軟・ソフト素材は、織布、不織布、綿、プラスチックシートの外周面を織布・不織布で被覆したもの、プラスチックフォーム、前記の素材を組合せた物など、ペットに対する肌さわりが優しい柔軟・ソフト性、軽量、衝撃吸収性、防水性を備えたものである。
【産業上の利用可能性】
【００２１】本考案は、最も一般的なペットである犬、猫に限らず、ペットの大小にかかわらず、ペットの皮膚病等の病気の治療中、ケガの治療中、ノミ等による痒みなどにおいて、ペットが患部・局部を自分で舐め、噛み、引っ掻くなどするのを予防するために、ペットの首周りに装着して用いる、透明窓付ペット介護用カラーとして汎用し得るものである。
【符号の説明】
【００２２】Ａ  実施例１の透明窓付ペット介護用カラー
１  ペット
２  馬蹄形円板
３  円形孔
４  切欠き部
５  端部
６  端部
７  結着手段（スナップボタン）
８  外周円部
９  内周円部
１０  中間部
１１  透明窓